【手続補正書】
【提出日】平成18年12月19日(2006.12.19)
【手続補正１】
【補正対象書類名】明細書
【補正対象項目名】発明の名称
【補正方法】変更
【補正の内容】
【発明の名称】効率がよい物質移動用電気流体力学式エーロゾル噴霧器およびエーロゾルを生成しかつ所望の位置に給送する方法
【手続補正２】
【補正対象書類名】明細書
【補正対象項目名】特許請求の範囲
【補正方法】変更
【補正の内容】
【特許請求の範囲】
【請求項１】  エーロゾル化される流体源と流体連通している噴霧ノズルであって、前記噴霧ノズルは少なくとも１つの噴霧チップを有し、前記噴霧チップの近傍において、流体が、前記噴霧ノズルから吐出し、テーラー・コーンを形成し、かつ電気流体力学式噴霧によってエーロゾル化される、噴霧ノズルと、
前記噴霧チップを通過してガスを誘導し、エーロゾルの少なくとも一部を前記噴霧チップから押し流すためのガス流デフレクタと
を備える、効率がよい物質移動用電気流体力学式エーロゾル噴霧器。
【請求項２】  さらに、前記噴霧ノズルを負の電位に維持する第１の電圧源を備える請求項１に記載の効率がよい物質移動用電気流体式エーロゾル噴霧器。
【請求項３】  前記噴霧ノズルは、前記流体源の上流側端部で前記流体源と流体連通する細長い管であり、
前記噴霧チップは、前記細長い管の下流側端部に位置し、
前記ガス流デフレクタは、前記噴霧ノズルの少なくとも一部に沿ってかつ前記噴霧チップを通過して、前記ガスを誘導する、請求項２に記載の効率がよい物質移動用電気流体式エーロゾル噴霧器。
【請求項４】  前記ガス流デフレクタは、前記噴霧ノズルの少なくとも一部に沿ってかつこれとほぼ平行に、並びに前記噴霧ノズルをほぼ完全に囲むように噴霧チップを通過して、前記ガスを誘導する、請求項３に記載の効率がよい物質移動用電気流体式エーロゾル噴霧器。
【請求項５】  前記ガス流デフレクタは前記ガスを層流で誘導する、請求項４に記載の効率がよい物質移動用電気流体式エーロゾル噴霧器。
【請求項６】  前記エーロゾルはエーロゾル速度で前記噴霧チップから離れて移動し、かつ前記ガス流デフレクタは、前記噴霧チップを通過して、該噴霧チップの１ｃｍ下流では、平均エーロゾル速度よりも早いガス速度で前記ガスを誘導する、請求項２に記載の効率がよい物質移動用電気流体式エーロゾル噴霧器。
【請求項７】  前記ガス流デフレクタは、前記噴霧ノズルの少なくとも一部に沿ってかつ該噴霧ノズルをほぼ完全に囲むように前記噴霧チップを通過して、前記ガスを層流で誘導する、請求項６に記載の効率がよい物質移動用電気流体式エーロゾル噴霧器。
【請求項８】  放電極と、
前記放電極を前記噴霧ノズルの電位に対して正の電位に維持する第２の電圧源と
をさらに備える請求項２に記載の効率がよい物質移動用電気流体式エーロゾル噴霧器。
【請求項９】  複数の噴霧ノズルを備える請求項２記載の効率がよい物質移動用電気流体式エーロゾル噴霧器。
【請求項１０】  前記ガス流デフレクタは、ガス流を少なくとも２つの部分に分離し、
該ガスの第１の部分を、前記噴霧チップを通過して、該噴霧チップの下流側のエーロゾルの少なくとも一部を押し流すように誘導し、かつ
前記ガスの第２の部分を、前記噴霧チップから離れて、しかしそれ以降は前記ガスの第１の部分、および前記噴霧チップの下流側の前記エーロゾルに接触するように誘導する、請求項１記載の効率がよい物質移動用電気流体式エーロゾル噴霧器。
【請求項１１】  前記噴霧ノズルは、少なくとも１つの噴霧チップを有し、前記噴霧チップの近傍において、流体が、前記噴霧ノズルから吐出し、前記噴霧チップから好適な方向に離れたテーラー・コーンを形成し、かつ電気流体力学式噴霧によってエーロゾル化され、
前記ガス流デフレクタは、前記ガスの前記第１の部分を、前記テーラー・コーンの好適な方向とほぼ平行に前記噴霧チップを通過して誘導することが可能である、請求項１０に記載の効率がよい物質移動用電気流体力学式エーロゾル噴霧器。
【請求項１２】  前記ガス流デフレクタは、前記ガスの前記第１の部分を、前記噴霧ノズルをほぼ完全に囲むように、誘導する、請求項１０に記載の効率がよい物質移動用電気流体力学式エーロゾル噴霧器。
【請求項１３】  前記ガス流デフレクタは、前記ガスの前記第２の部分を、前記ガスの前記第１の部分および前記噴霧チップの下流側の前記エーロゾルを、ほぼ完全に囲むように誘導する、請求項１０に記載の効率がよい物質移動用電気流体力学式エーロゾル噴霧器。
【請求項１４】  複数の噴霧ノズルと、複数の噴霧チップとを有すると共に、
前記ガス流デフレクタは、
前記ガスの前記第１の部分を、前記複数の噴霧チップをほぼ完全に囲むように、誘導することが可能であり、
前記ガスの前記第２の部分を、前記ガスの前記第１の部分および前記噴霧チップの下流側の前記エーロゾルを、ほぼ完全に囲むように誘導することが可能である、請求項１０に記載の効率がよい物質移動用電気流体力学式エーロゾル噴霧器。
【請求項１５】  前記ガス流デフレクタは、前記噴霧チップを囲み、かつ吸込端と吐出端とを有すると共に、
前記ガス流デフレクタは、前記ガス速度が、前記吐出端の近傍では、前記吸込端の近傍でよりも、遅いように設計されている、請求項１０に記載の効率がよい物質移動用電気流体力学式エーロゾル噴霧器。
【請求項１６】  前記ガス流デフレクタの断面積は、前記吸込端の近傍では、前記吐出端の近傍でよりも、小さい、請求項１５に記載の効率がよい物質移動用電気流体力学式エーロゾル噴霧器。
【請求項１７】  前記ガス流デフレクタの流体抵抗は、前記ガスの前記第１の部分では、前記ガスの前記第２の部分でよりも、小さい、請求項１０に記載の効率がよい物質移動用電気流体力学式エーロゾル噴霧器。
【請求項１８】  空気をハウジングへ吸入するための空気穴と、ユーザと連通しており、前記空気及び前記エーロゾルを前記ユーザに給送するための吐出口とを含むハウジング手段をさらに有し、
前記ガス流デフレクタは、
前記空気穴からの前記空気を、少なくとも２つの部分に分離し、
前記空気の第１の部分を、前記噴霧ノズルを通過して誘導して、下流側の前記エーロゾルの少なくとも一部を前記噴霧ノズルから押し流し、かつ、
前記空気の第２の部分を、前記噴霧ノズルから離れて、かつ前記噴霧ノズルの下流側の前記空気の前記第１の部分および前記エーロゾルと接触するように誘導する、
請求項１に記載の効率がよい物質移動用電気流体力学式エーロゾル噴霧器。
【請求項１９】  前記ガス流デフレクタは、ガスの第１の部分を、前記噴霧チップをほぼ完全に囲むように誘導する、請求項１８に記載の効率がよい物質移動用電気流体力学式エーロゾル噴霧器。
【請求項２０】  前記ガス流デフレクタは、ガスの第２の部分を、該ガスの前記第１の部分および前記噴霧チップの下流側の前記エーロゾルをほぼ完全に囲むように誘導する、請求項１９に記載の効率がよい物質移動用電気流体力学式エーロゾル噴霧器。
【請求項２１】  複数の噴霧ノズルを有し、
前記ガス流デフレクタは、
前記ガスの前記第１の部分を、前記複数の噴霧ノズルをほぼ完全に囲むように誘導することが可能であり、
前記ガスの前記第２の部分を前記ガスの前記第１の部分、および前記噴霧チップの下流側の前記エーロゾルをほぼ完全に囲むように誘導することが可能である、
請求項１８に記載の効率がよい物質移動用電気流体力学式エーロゾル噴霧器。
【請求項２２】  放電極であって、該放電極上のイオン化位置の近傍でイオンを生成し、かつ前記イオン化位置から所望の経路に沿ってコロナ風を生成し、かつ、該コロナ風によってガス流が前記噴霧チップを通過するように配向され、かつ前記エーロゾルの少なくとも一部を前記噴霧チップから離れて押し流す、放電極と、
前記噴霧ノズルと前記放電極との間に位置する基準電極と、
前記噴霧ノズルを、前記基準電極の電位に対して負の電位に、維持するための第１の電圧源と、
前記放電極を、前記基準電極の電位に対して正の電位に、維持するための第２の電圧源と
を備える効率がよい物質移動用電気流体力学式エーロゾル噴霧器。
【請求項２３】  前記放電極は、所望の経路が、前記選択されたエーロゾル噴霧方向に対して９０°未満の角度をなすように、配向されている、請求項２２に記載の効率がよい物質移動用電気流体力学式エーロゾル噴霧器。
【請求項２４】  第２の基準電極をさらに有し、
前記放電極が前記第１の基準電極と前記第２の基準電極との間に位置するように配置され
前記第２の基準電極は、前記噴霧ノズルに対して正となり前記放電極に対して負となる電位にある、請求項２２に記載の効率がよい物質移動用電気流体力学式エーロゾル噴霧器。
【請求項２５】  第３の基準電極をさらに有し、
前記噴霧ノズルが前記第１の基準電極と前記第３の基準電極との間に位置するように配置され、
前記第３の基準電極は、前記噴霧ノズルに対して正となり前記放電極に対して負となる電位にある、請求項２２に記載の効率がよい物質移動用電気流体力学式エーロゾル噴霧器。
【請求項２６】  放電極であって、該放電極の近傍の空気分子から正のイオン流を生成可能である放電極と、
前記噴霧ノズルと前記放電極との間に位置する基準電極と
を備え、
前記噴霧ノズル、前記放電極、および前記基準電極は、
前記正のイオン流が前記噴霧ノズルからの前記エーロゾルを遮り、かつ
気流を、前記噴霧チップと前記テーラー・コーンとを通過して、誘導できるような位置に配置されており、
さらに、前記噴霧ノズルを前記基準電極の電位に対して負の電位に維持する第１の電圧源と、
前記放電極を前記基準電極の電位に対して正の電位に維持する第２の電圧源と
を備える請求項１に記載の効率がよい物質移動用電気流体力学式エーロゾル噴霧器。
【請求項２７】  前記噴霧ノズルは、選択されたエーロゾル噴霧方向と平行な経路にほぼ沿って前記エーロゾルを分配する位置に配置され、
前記放電極は、前記正のイオン流が約０°ないし９０°の角度で前記エーロゾル噴霧方向を遮ることがきるような位置に配置されている、請求項２６に記載の効率がよい物質移動用電気流体力学式エーロゾル噴霧器。
【請求項２８】  前記噴霧ノズルを通過して第１の流動経路でガスを誘導するための第１のガス流デフレクタと、
ガスを前記第１の流動経路に対して角度をもって、かつ前記第１の流動経路を遮るように第２の流動経路へと誘導し、かつ前記テーラー・コーンにより接近し、かつ前記テーラー・コーンを通過するように、前記第１の流動経路内の前記ガスを移動させる第２のガス流デフレクタと、
前記噴霧ノズルを負の電位に維持するための第１の電圧源と
をさらに備える請求項１に記載の効率がよい物質移動用電気流体力学式エーロゾル噴霧器。
【請求項２９】  エーロゾルを生成しかつ所望の位置に給送する方法であって、
電気流体力学式噴霧によって噴霧チップからの流体をエーロゾル化するステップと、
ガスを少なくとも２つの部分に分離するステップと、
前記ガスの前記第１の部分を、前記噴霧チップを通過して誘導して、下流側の前記エーロゾルの少なくとも一部を前記噴霧チップから押し流すステップと、
前記ガスの前記第２の部分を前記噴霧チップから離れるように誘導するステップと、
前記ガスの前記第２の部分を前記ガスの前記第１の部分および前記噴霧チップの下流側の前記エーロゾルと接触させ、かつ該エーロゾルを所望の位置へ押し流すステップと
を含む、エーロゾルを生成しかつ所望の位置に給送する方法。
【請求項３０】  細長い噴霧ノズルの一端で前記噴霧チップから好適な方向に離れた細長いテーラー・コーンからの前記流体をエーロゾル化するステップと、
前記ガスの前記第１の部分を、前記噴霧チップを通過して前記テーラー・コーンの前記好適な方向とほぼ平行に誘導するステップと
をさらに含む、請求項２９に記載の、エーロゾルを生成しかつ所望の位置に給送する方法。
【請求項３１】  前記ガスの前記第１の部分を、前記噴霧チップをほぼ完全に囲むように誘導するステップを含む、請求項２９に記載のエーロゾルを生成しかつ所望の位置に給送する方法。
【請求項３２】  前記ガス流デフレクタは、前記ガスの前記第２の部分を、前記ガスの前記第１の部分および前記噴霧チップの下流側の前記エーロゾルをほぼ完全に囲むように誘導する、請求項３１に記載の、エーロゾルを生成しかつ所望の位置に給送する方法。
【請求項３３】  電気流体力学式噴霧によって、複数の噴霧チップからの前記流体をエーロゾル化するステップと、
前記ガスの前記第１の部分を、前記複数の噴霧ノズルをほぼ完全に囲むように誘導するステップと、
前記ガスの前記第２の部分を、前記ガスの前記第１の部分および前記噴霧チップの下流側の前記エーロゾルをほぼ完全に囲むように誘導するステップと
をさらに含む、請求項２９に記載の、エーロゾルを生成しかつ所望の位置に給送する方法。
【請求項３４】  前記ガスの前記第１の部分を、漸減速度で前記噴霧チップを通過して誘導して、下流側の前記エーロゾルの少なくとも一部を前記噴霧チップから押し流すステップを含む、請求項２９に記載の、エーロゾルを生成しかつ所望の位置に給送する方法。
【請求項３５】  前記ガスの前記第１の部分は前記ガスの前記第２の部分よりも小さい、請求項２９に記載の、エーロゾルを生成しかつ所望の位置に給送する方法。
【請求項３６】  前記ガスは空気である、請求項２９に記載の、エーロゾルを生成しかつ所望の位置に給送する方法。